(57)【特許請求の範囲】
【請求項１】
ドアを開口上部に配設した案内レールに沿って転動するローラにより開閉自在に支持し、かつ前記案内レールにはドアが閉塞位置にある時前記ローラが係合する部分を内側に変位させる変位部を形成して、閉塞位置でドアを開口周囲に押し付けて密閉するドア装置において、前記案内レールと平行にリニアモータを設け、該リニアモータの可動子と前記ドアとを、開方向及び閉方向における交差させた２本の牽引ワイヤーで連結したことを特徴とするドア装置。
【発明の詳細な説明】
【０００１】
【発明の属する技術分野】
本発明は、冷凍冷蔵庫等の開口を開閉するドア装置に関するものである。
【０００２】
【従来の技術】
開口上部に配設した案内レールに沿ってドアを移動させて開口を開閉する冷凍冷蔵庫等では、閉塞位置でドアを開口周囲に押し付けて密閉するような案内レール構造になっている。このため、ドア開閉の自動化を目的としてドアａとリニアモータｂの可動子ｃを、ドアａのハンガーブラケットｈに固定した鋼板製ジョイントｄにより連結する場合、該ジョイントｄと可動子ｃを開閉方向と略直交する方向に相対移動可能な構成にする必要がある。このため、図６に示すように可動子ｃに設けた嵌合部材ｅが嵌合するとともに、閉塞位置でドアａが開閉方向と略直交する方向に移動できるような嵌合孔ｆをジョイントｄに設けていた。
【０００３】
【発明が解決しようとする課題】
しかしながら、嵌合部材ｅはクッションゴムｇを介してジョイントｄの嵌合孔ｆに嵌合しているため、ドアａの開閉の都度嵌合部材ｅがジョイントｄの嵌合孔ｆ内でドアａの開閉移動方向と略直交する方向に相対移動するため、クッションゴムｇが磨耗し易い。また、クッションゴムｇを介して連結しているため、高出力のリニアモータでは、可動子ｃに対するドアａの追従性が悪くガタを生じて円滑に開閉できないという問題点があった。本発明は上記問題点を解決するためになされたもので、鋼板製ジョイントを用いない簡単な構成で、ドアをリニアモータにより円滑に自動開閉できるドア装置を提供することを目的とするものである。
【０００４】
【課題を解決するための手段】
上記の目的を達成するための請求項１に記載のドア装置は、ドアを開口上部に配設した案内レールに沿って転動するローラにより開閉自在に支持し、かつ前記案内レールにはドアが閉塞位置にある時前記ローラが係合する部分を内側に変位させる変位部を形成して、閉塞位置でドアを開口周囲に押し付けて密閉するドア装置において、前記案内レールと平行にリニアモータを設け、該リニアモータの可動子と前記ドアとを、開方向及び閉方向における交差させた２本の牽引ワイヤーで連結したことを特徴とする。
【０００５】
【作用及び発明の効果】
請求項１に記載のドア装置によれば、開方向及び閉方向における交差させた２本の牽引ワイヤーでリニアモータの可動子と連結されたドアは、閉塞位置に移動すると、案内レールの変位部により開口周囲に押し付けられる。また、開方向移動時にはドアが開口周囲から離れる。このときのドアの開閉方向と略直交する方向の動きは、２本の牽引ワイヤーにより吸収されて直接可動子には伝わらない。２本の牽引ワイヤーで連結する方式であるから、構成が簡単になるとともにドアに作用する衝撃が可動子に直接伝わることがない。また、開方向及び閉方向における交差させた２本の牽引ワイヤーで連結したことにより、可動子に対するドアの追従性がよくなり円滑に開閉できる。
【０００６】
【発明の実施の形態】
本発明の実施形態について添付図面を参照して説明する。図１は冷凍冷蔵庫１の正面図、図２は要部の斜視図、図３は要部の側断面図、図４は案内レール１３と支持ローラ２３を示した斜視図、図５は牽引ワイヤー２７の締着状態を示した要部の正面図である。冷凍冷蔵庫１の前面パネル２には一部に開口３が形成され、その上部にリニアモータ４を組み込んだモータレール５が水平に配設されている。モータレール５内には、可動子６が走行自在に配置されている。該可動子６の側面の２箇所には、モータレール５の全長に亘って側面に設けたスリット７から外部に突出する接続ブラケット８が取り付けられている。各接続ブラケット８は、ワイヤー係入溝９が形成されたワイヤー係止片１０を備えている。
【０００７】
モータレール５の下方には前面パネル２の手前側に突出する支持アーム１１が設けられ、該支持アーム１１の先端支持部１２に案内レール１３が水平に支持されている。案内レール１３は、中空角パイプ１４を用いその一つの稜角１４ａが上端となるように配置されている。そして、案内レール１３には、開口３に対応する２ヶ所に樹脂製レール１５が嵌め込まれている。図３に示すように、樹脂製レール１５には稜角１４ａに連続するとともに、前面パネル２側に変位する変位部１６が形成されている。
【０００８】
上記開口３を開閉するドア２１は、上端左右に固定したハンガーブラケット２２に設けた支持ローラ２３を上記案内レール１３に跨装して吊持されている。各ハンガーブラケット２２には、ワイヤー締着ブラケット２４が取り付けられている。また、ドア２１の裏面には、外周部に沿って逆Ｕ字形のシールゴム２５が取り付けられている。さらに、ドア２１の裏面の下端縁には、冷凍冷蔵庫１の設置フロワーＦＬに接触するいわゆるズリゴム２６が取り付けられている。
【０００９】
上記可動子６とドア２１とは、開方向及び閉方向における２本の牽引ワイヤー２７により連結される。牽引ワイヤー２７の一端には係止駒２８が取り付けられ、他端には、締着ボルト２９が取り付けられている。各牽引ワイヤー２７は、接続ブラケット８のワイヤー係止片１０のワイヤー係入溝９に係入して、係止駒２８を該ワイヤー係止片１０に係止する。そして、牽引ワイヤー２７を交差させて他端の締着ボルト２９を、左右のハンガーブラケット２２に取り付けたワイヤー締着ブラケット２４に挿通し、ナット３０により各牽引ワイヤー２７を緊張させて締着する。
【００１０】
上記によりリニアモータ４の可動子６によりドア２１が牽引され開口３を自動開閉する自動ドアが構成される。このドア装置は、可動子６によりドア２１が開口３を塞ぐ閉塞位置に牽引されると、左右のハンガーブラケット２２の支持ローラ２３が、案内レール１３の中空角パイプ１４から樹脂製レール１５の変位部１６に移動する。変位部１６は、前面パネル２側に変位しているから、支持ローラ２３が変位部１６に乗り移るとドア２１が前面パネル２側に変位し、裏面のシールゴム２５を該前面パネル２に押し付けて開口３を密閉する。また、開方向移動時には、ドア２１が変位部１６から外れることにより前面パネル２から離れる。
【００１１】
このときの前面パネル２と接離するドア２１の開閉方向と略直交する方向の動きは、２本のワイヤーにより吸収されて直接可動子６には伝わらない。２本の牽引ワイヤー２７で連結する方式であるから構成が簡単になるとともに、ドア２１に作用する衝撃が可動子６に直接伝わることがない。また、開方向及び閉方向における交差させた２本の牽引ワイヤー２７で連結したことにより、可動子６に対するドア２１の追従性がよくなり円滑に開閉できる。
【図面の簡単な説明】
【図１】冷凍冷蔵庫の正面図である。
【図２】要部の斜視図である。
【図３】要部の側断面図である。
【図４】案内レール１３と支持ローラ２３を示した斜視図である。
【図５】牽引ワイヤー２７の締着状態を示した要部の正面図である。
【図６】従来例を示した要部の斜視図である。
【符号の説明】
３...開口
４...リニアモータ
６...可動子
８...接続ブラケット
１３...案内レール
１４...中空角パイプ
１５...樹脂製レール
１６...変位部
２１...ドア
２２...ハンガーブラケット
２３...支持ローラ
２４...ワイヤー締着ブラケット
２７...牽引ワイヤー
【図１】
0003627685.tif 000002
【図２】
0003627685.tif 000003
【図３】
0003627685.tif 000004
【図４】
0003627685.tif 000005
【図５】
0003627685.tif 000006
【図６】
0003627685.tif 000007